(57)【要約】【課題】  箱としての構造を簡略化し、部品点数を少なくし、しかも容易に組み立てることができ、材料コストもかからないようにする。【解決手段】プラスチック段ボール箱１は、前後壁２・３、左右壁４・５および底壁６で構成されており、前後壁２・３は上下に二分され、その上側部２Ａ・３Ａの下縁２ａ・３ａと下側部２Ｂ・３Ｂの上縁２ｂ・３ｂとが指を挟まない構造のヒンジ部材７によって連結され、左右壁４・５の下端部が尖った形状となされ、該部が底壁６の左右端部に形成された凹溝２２に挿脱自在となされている。【選択図】  図１
2009262943.tif 000002
【特許請求の範囲】
【請求項１】
前後壁、左右壁および底壁からなり、上縁角部にコーナー部材が取り付けられ、隣り合うコーナー部材間にはフレーム部材が嵌め込まれ、前後壁はそれぞれ二分されて折り畳み自在となされ、左右壁はそれらの上縁を支点として内方へ揺動自在となされたプラスチック段ボール箱において、前後壁を構成する上側部と下側部が指を挟むことを防止する指挟み防止用ヒンジ部材によって連結されている、プラスチック段ボール箱。
【請求項２】
指挟み防止用ヒンジ部材が、前後壁の上側部下縁と前後壁の下側部上縁が嵌め入れられる２つのコ字状部と、両コ字状部間に形成された中間壁とを有するものである、請求項１記載のプラスチック段ボール箱。
【請求項３】
底壁の左右端部には凹溝が形成され、左右壁の下端部は尖った形状となされて、該下端部が前記凹溝に挿脱自在となされている、請求項１または請求項２記載のプラスチック段ボール箱。
【請求項４】
左右壁の下端部は、左右壁の一面にプラスチック段ボール罫線熱加工機における加熱状態のブレードを当接した後、その当接部両側を左右壁の他面側へ折り曲げることにより、先端部が山形に尖った二重構造部となされている、請求項１〜請求項３のうちのいずれか一項記載のプラスチック段ボール箱。
【発明の詳細な説明】
【技術分野】
【０００１】
本発明は、種々の物を収容するための折り畳み自在なプラスチック段ボール箱に関する。
【背景技術】
【０００２】
従来、二枚の平行な表面板部と両表面板部間にこれら表面板部に対して直角方向に且つ一定間隔をあけて形成された多数の仕切壁部とからなり、両表面板部と仕切壁部とによって多数の中空部が列設されてなるプラスチック段ボールを用いた折り畳み自在な箱としては、以下のようなものが知られている。
【０００３】
すなわち、底板と、底板の対向する二辺上に位置する二枚の揺動側板と、底板の残りの二辺上に位置する屈曲側板とで構成されたプラスチック段ボール箱において、底板の両端部に係止部を形成し、該係止部に揺動側板の下端部に一体に取り付けた補強帯が係合すると共に、屈曲側板の高さ中央部にはそのプラスチック段ボールの外側表面板部だけをその全長にわたって切断した（以下「半切り」という）ものが知られている。
【０００４】
また、他のプラスチック段ボール箱としては、互いに直角方向に交差して重ね合わされた長尺側箱片と短尺側箱片とで箱本体を形成し、長尺側箱片と短尺側箱片の隣り合う縁部同士を鉤状のクリップ部材で連結するようにし、また長尺側箱片の高さ中央部にはその全長にわたって水平方向に半切り加工を施したものが知られている。
【特許文献１】特開平６−１３５４４０号公報
【特許文献２】特開２００１−１８９５７
【発明の開示】
【発明が解決しようとする課題】
【０００５】
前述したいずれのプラスチック段ボール箱においても以下のような問題が見られたものである。
【０００６】
先ず第一には、箱としての構造が複雑で部品点数が多く、組み立てに手間を要すると共に材料コストもかかるという問題があった。
【０００７】
第二には、折り畳んだ状態の箱を組み上げる際に、前記屈曲側板や長尺側箱片における半切り部分に作業者の指が挟まって組み上げ作業の能率を低下させると共に作業者の指に痛みを生ずるという欠点があった。
【０００８】
本発明の目的は、構造が簡略化され、構成部品点数が少なく、また容易に組み立てることができ、しかも組み立ての際に指を挟むおそれのないプラスチック段ボール箱を提供することにある。
【課題を解決するための手段】
【０００９】
請求項１記載の本発明は、前後壁、左右壁および底壁からなり、上縁角部にコーナー部材が取り付けられ、隣り合うコーナー部材間にはフレーム部材が嵌め込まれ、前後壁はそれぞれ二分されて折り畳み自在となされ、左右壁はそれらの上縁を支点として内方へ揺動自在となされたプラスチック段ボール箱において、前後壁を構成する上側部と下側部が指を挟むことを防止する指挟み防止用ヒンジ部材によって連結されているものである。
【００１０】
請求項２記載の本発明は、前記請求項１記載のプラスチック段ボール箱について、指挟み防止用ヒンジ部材が、前後壁の上側部下縁と前後壁の下側部上縁が嵌め入れられる２つのコ字状部と、両コ字状部間に形成された中間壁とを有するものである。
【００１１】
請求項３記載の本発明は、請求項１または請求項２記載のプラスチック段ボール箱について、底壁の左右端部には凹溝が形成され、左右壁の下端部は尖った形状となされて、該下端部が前記凹溝に挿脱自在となされているものである。
【００１２】
請求項４記載の本発明は、前記請求項１〜請求項３のうちのいずれか一項記載のプラスチック段ボール箱について、左右壁の下端部は、左右壁の一面にプラスチック段ボール罫線熱加工機における加熱状態のブレードを当接した後、その当接部両側を左右壁の他面側へ折り曲げることにより、先端部が山形に尖った二重構造部となされているものである。
【発明の効果】
【００１３】
本発明のプラスチック段ボール箱は、上下に二分された前後壁の上側部下縁と下側部上縁とが指挟み防止用ヒンジ部材によって連結されているため、当該箱を組み上げる際、前後壁の上側部下縁と下側部上縁間に指を挟むおそれがない。
【００１４】
また、底壁の左右端部に凹溝を形成し、左右壁の尖った下端部が前記凹溝に挿脱自在となされた本発明のプラスチック段ボール箱によれば、従来のような特別の部材を用いたり、複雑な嵌合構造を採用することなく、当該箱の折り畳みおよび組み上げが行える。
【発明を実施するための最良の形態】
【００１５】
次に、本発明の実施形態を図面にしたがって説明するが、本発明はかかる実施形態に限定されるものではない。
【００１６】
図１に示すように、本実施形態にかかるプラスチック段ボール箱１は、前後壁２・３、左右壁４・５および底壁６で構成されている。前後壁２・３は上下に二分され、その上側部２Ａ・３Ａの下縁２ａ・３ａと下側部２Ｂ・３Ｂの上縁２ｂ・３ｂとが後述するヒンジ部材７によって連結されている。左右壁４・５には、透孔８があけられ、該透孔８には略リング状の取っ手部材９が取り付けられている。
【００１７】
また、前後壁２・３の上下端寄り部分および左右壁４・５の上端寄り部分には、それぞれそれらの外面から内面寄り部分に向かって切り込みを入れた半切り１０が施されている。
【００１８】
当該プラスチック段ボール箱１の左右下角部１１には断面Ｌ字状フレーム部材３０が取り付けられている。また、当該プラスチック段ボール箱１の上縁角部には平面から見てＬ字形のコーナー部材１２が取り付けられ、隣り合うコーナー部材１２間には断面コ字形のフレーム部材１３が嵌め込まれている。なお、図中１４はコーナー部材１２とこれに嵌め込まれたフレーム部材１３を結合するリベットを示す。
【００１９】
図２に示すように、後壁３は、前述の通り、上側部３Ａと下側部３Ｂとで構成され、上側部３Ａの下縁３ａと下側部３Ｂの上縁３ｂとがそれぞれヒンジ部材７のコ字状部７ａ内に嵌め入れられ、リベット１５で固定されている。そして、該ヒンジ部材７によって、当該後壁３が折り畳み自在となされている。
【００２０】
次に、前記ヒンジ部材７についてより詳細に述べると、ヒンジ部材７は、前記２つのコ字状部７ａが互いにその開口部７ｂが反対方向となる配置となされ、両コ字状部７ａ間にはこれらを一体につなぐ略Ｖ字状の中間壁７ｃが設けられて、両コ字状部７ａ間に一定の間隙Ｓが形成されている。この間隙Ｓは人の指を挟まない効果を有するものとなっており、これによりヒンジ部材７は、指挟み防止用のものとして機能するのである。
【００２１】
また上側部３Ａの上縁３ｃは半切り１６されて折り曲げられた状態となっており、該部に前記フレーム部材１３が嵌め被せられている。底壁６は、上側段ボール６Ａと下側段ボール６Ｂの二重構造となっており、両段ボール６Ａ・６Ｂは互いにその中空部方向が交差するように重ねられており、底壁６の強度が向上するようになされている。そして、下側段ボール６Ｂと後壁３の下側部３Ｂとは一体に連続する構造となっている。また、後壁３について述べた前記構造は、前壁２についても同様である。
【００２２】
図３に示すように、右側壁５は前記の通り、その中央より若干上側寄り部分に取っ手部材９が取り付けられており、右側壁５の上縁５ａは半切り１８されて折り曲げられた状態となっており、該部に前記フレーム部材１３が嵌め被せられている。また、フレーム部材１３の下側における右側壁５にも前記の通り、半切り１０が施されている。更に、右側壁５の下部は後述する加工方法によって折り曲げられた二重構造部２０となされ、その先端５ｂは山形に尖った形状となされている。なお、図中４０は前記二重構造部２０を接合するリベットを示す。
【００２３】
すなわち、前記二重構造部２０の加工方法について説明すると、図４（ａ）に示すように、右側壁５となるプラスチック段ボール１９の一面１９ａに、プラスチック段ボール罫線熱加工機における加熱されたブレードＢを当接することにより、Ｖ字状溝４１を当該プラスチック段ボール１９の全長にわたって形成し、その後、プラスチック段ボール１９における前記ブレードＢ当接部の両側をプラスチック段ボール１９の他面１９ｂ側（矢印方向）に折り曲げることにより、図４（ｂ）に示すような先端５ｂが尖った山形状の二重構造部２０とし、次に、リベット４０を打ち込むことにより、該二重構造部２０を接合することによって右側壁５の下部を形成するものである。また、左側壁４についても、前記と同様に構成される。
【００２４】
図３に示すように、底壁６は、前述した通り、上側段ボール６Ａと下側段ボール６Ｂとで構成されているが、上側段ボール６Ａは、下側段ボール６Ｂよりも短くなっており、また当該底壁６の左右端にリベット２１でＬ字状フレーム部材３０が取り付けられることで、該Ｌ字状フレーム部材３０の起立壁３０ａと前記構造の底壁６とで凹溝２２が形成されている。そして、凹溝２２内に右側壁５の尖った先端５ｂが嵌まり込むようになされており、右側壁５はその上端５ａを支点として左側（矢印方向）へ揺動させることで該右側壁５が当該プラスチック段ボール箱１の内方へ折り畳まれるようになされている。このように、凹溝２２に右側壁５の先端５ｂを嵌まり込ませることで、別途、特別な部材を必要とせず、すなわち、部品点数を増加させることなく、前記先端５ｂを底壁６に対して係止することができる。
【００２５】
次に、プラスチック段ボール箱１の折り畳み要領について説明すると、先ず図５に示すように、左右壁４・５を当該プラスチック段ボール箱１の内方へ揺動させ、この状態で図６に示すように、前後壁２・３をヒンジ部材７を介して折り畳むことにより、図７に示すように、プラスチック段ボール箱１が完全に折り畳まれた状態となる。
【００２６】
なお、図中２５は、左右壁４・５の内面両端部にリベット２６で固定された帯状の補強片を示す。
【産業上の利用可能性】
【００２７】
本発明のプラスチック段ボール箱は、簡単な構成で安価に製造することができ、しかも従来品と同様の機能を有する上、組み立ての際、指を挟むおそれもない等、種々の実用的に利点を有するため、幅広い利用が期待できる。
【図面の簡単な説明】
【００２８】
【図１】本発明のプラスチック段ボール箱の斜視図である。
【図２】同プラスチック段ボール箱における後壁部分の垂直断面図である。
【図３】同プラスチック段ボール箱における右側壁部分の垂直断面図である。
【図４】同プラスチック段ボール箱における左右壁の下端部の製造方法を示す図である。
【図５】左右壁を折り畳んだ状態のプラスチック段ボール箱の斜視図である。
【図６】更に前後壁を折り畳んだ状態のプラスチック段ボール箱の側面図である。
【図７】完全に折り畳まれた状態のプラスチック段ボール箱の斜視図である。
【符号の説明】
【００２９】
１  プラスチック段ボール箱
２  前壁
３  後壁
４  左側壁
５  右側壁
６  底壁
７  ヒンジ部材
１２  コーナー部材
１３  フレーム部材
【図１】
2009262943.tif 000003
【図２】
2009262943.tif 000004
【図３】
2009262943.tif 000005
【図４】
2009262943.tif 000006
【図５】
2009262943.tif 000007
【図６】
2009262943.tif 000008
【図７】
2009262943.tif 000009